(57)【要約】【課題】臭気の漏れを防ぐことができる生ゴミ処理装置を提供する。【解決手段】生ゴミ処理装置１は、生ゴミ等の含水性処理物が投入される処理容器４２と、送風を行いながら生ゴミを攪拌する回転翼４４と、回転翼４４との協働で生ゴミを破砕するカッター６２を備える。処理容器４２は、フィルタユニット７５と接続された排気ファン７を備え、生ゴミの破砕乾燥時に、回転翼４４からの送風を行いながら、処理容器４２内の空気を強制的に排気することで、臭気が処理容器４２から漏れることを防ぐ。【選択図】        図１
2006289286.tif 000002
【特許請求の範囲】
【請求項１】
含水性処理物が投入される投入口を有した処理容器と、
前記処理容器内に投入された含水性処理物を攪拌する攪拌手段と、
前記処理容器内に投入された含水性処理物を破砕する破砕手段と、
前記処理容器内に投入された含水性処理物を乾燥させる乾燥手段と、
前記処理容器内の空気を吸い込んで排気する排気手段とを備え、
前記処理容器内に投入された含水性処理物を破砕乾燥物に変換する
ことを特徴とする生ゴミ処理装置。
【請求項２】
前記乾燥手段は、前記処理容器内に送風を行う送風手段と、前記処理容器内を加温する加温手段を備えた
ことを特徴とする請求項１記載の生ゴミ処理装置。
【請求項３】
前記攪拌手段は、前記処理容器内に回転可能に取り付けられる中空構造の回転翼を備え、前記回転翼は、前記送風手段から前記回転翼内に送り込まれた送風を吹き出す噴出口を備えた
ことを特徴とする請求項２記載の生ゴミ処理装置。
【請求項４】
前記排気手段による前記処理容器からの排気風量と、前記送風手段による前記処理容器への吸気風量を略同等とした
ことを特徴とする請求項２または３記載の生ゴミ処理装置。
【請求項５】
前記処理容器は、前記排気手段により空気が吸い込まれる排気口を上部に備えた
ことを特徴とする請求項１，２，３または４記載の生ゴミ処理装置。
【請求項６】
前記排気手段によって前記処理容器内の排気を行いながら、含水性処理物を破砕乾燥物に変換させる制御を行う制御手段を備えた
ことを特徴とする請求項１，２，３，４または５記載の生ゴミ処理装置。
【請求項７】
前記処理容器に、破砕乾燥物を取り出す排出口と、前記排出口を開閉するカバーを備え、
前記制御手段は、前記カバーの開閉動作と連動して、前記排気手段を制御する
ことを特徴とする請求項６記載の生ゴミ処理装置。
【発明の詳細な説明】
【技術分野】
【０００１】
本発明は、生ゴミ等の含水性処理物を破砕して乾燥させる生ゴミ処理装置に関する。詳しくは、含水性処理物を破砕して乾燥させる処理容器内の空気を強制的に排気することで、臭気の漏れを抑えるものである。
【背景技術】
【０００２】
従来、台所等で発生する生ゴミ等の含水性処理物を破砕乾燥処理する生ゴミ処理装置には、容器に投入された生ゴミを回転翼で攪拌しながらカッターで破砕すると共に、容器内に送風を行って、破砕した生ゴミを乾燥させるものがあった（例えば、特許文献１参照）。
【０００３】
【特許文献１】特開２００４−１８８３３５号公報
【発明の開示】
【発明が解決しようとする課題】
【０００４】
しかし、従来の生ゴミ処理装置では、生ゴミを破砕乾燥する容器内の空気を強制的に排気する手段が備えられていないので、臭気が容器内にこもって外部に漏れるという問題があった。また、送風ファンによる送風で容器内の空気を押し出して排気する構成では、圧力損失等を考慮して、ファンの風量を大きく設定する必要があり、ファンの大型化により装置が大型化するという問題、更には、ファン回転数の増加により騒音が増加するという問題があった。
【０００５】
本発明は、このような課題を解決するためになされたもので、臭気の漏れを防ぐことができる生ゴミ処理装置を提供することを目的とする。
【課題を解決するための手段】
【０００６】
上述した課題を解決するため、請求項１に係る発明の生ゴミ処理装置は、含水性処理物が投入される投入口を有した処理容器と、処理容器内に投入された含水性処理物を攪拌する攪拌手段と、処理容器内に投入された含水性処理物を破砕する破砕手段と、処理容器内に投入された含水性処理物を乾燥させる乾燥手段と、処理容器内の空気を吸い込んで排気する排気手段とを備え、処理容器内に投入された含水性処理物を破砕乾燥物に変換することを特徴とする。
【０００７】
請求項２に係る発明の生ゴミ処理装置は、請求項１に記載された発明の生ゴミ処理装置において、乾燥手段は、処理容器内に送風を行う送風手段と、処理容器内を加温する加温手段を備えたことを特徴とする。
【０００８】
請求項３に係る発明の生ゴミ処理装置は、請求項２に記載された発明の生ゴミ処理装置において、攪拌手段は、処理容器内に回転可能に取り付けられる中空構造の回転翼を備え、回転翼は、送風手段から回転翼内に送り込まれた送風を吹き出す噴出口を備えたことを特徴とする。
【０００９】
請求項４に係る発明の生ゴミ処理装置は、請求項２または請求項３に記載された発明の生ゴミ処理装置において、排気手段による処理容器からの排気風量と、送風手段による処理容器への吸気風量を略同等としたことを特徴とする。
【００１０】
請求項５に係る発明の生ゴミ処理装置は、請求項１，２，３または請求項４に記載された発明の生ゴミ処理装置において、処理容器は、排気手段により空気が吸い込まれる排気口を上部に備えたことを特徴とする。
【００１１】
請求項６に係る発明の生ゴミ処理装置は、請求項１，２，３，４または請求項５に記載された発明の生ゴミ処理装置において、排気手段によって処理容器内の排気を行いながら、含水性処理物を破砕乾燥物に変換させる制御を行う制御手段を備えたことを特徴とする。
【００１２】
請求項７に係る発明の生ゴミ処理装置は、請求項６に記載された発明の生ゴミ処理装置において、処理容器に、破砕乾燥物を取り出す排出口と、排出口を開閉するカバーを備え、制御手段は、カバーの開閉動作と連動して、排気手段を制御することを特徴とする。
【発明の効果】
【００１３】
本発明によれば、含水性処理物の破砕乾燥を行う処理容器内の空気が強制的に排気されるので、処理容器内に臭気がこもることが抑えられ、外部への臭気の漏れを防ぐことができる。これにより、生ゴミ処理装置を台所のシンク下等に設置した場合でも、臭気が台所等に漏れることが無く、設置場所の自由度が広がる。
【００１４】
また、処理容器内からの排気と処理容器内への送風とを組み合わせることで、排気と送風による吸気のそれぞれの風量を抑えることができ、送風を行うファン及び排気を行うファンの小型化を図り、装置の小型化を図ることができる。更に、ファンの回転数を抑えて、低騒音化を図ることができる。
【発明を実施するための最良の形態】
【００１５】
以下、図面を参照して本発明の生ゴミ処理装置の実施の形態について説明する。
【００１６】
＜生ゴミ処理装置の概要＞
図１は本実施の形態の生ゴミ処理装置の概要を示す構成図である。生ゴミ処理装置１は、流し台のシンク２の下部に取り付けられ、本実施の形態の生ゴミ投入装置３と、生ゴミ破砕乾燥装置４を備える。
【００１７】
生ゴミ投入装置３は、生ゴミを収集して水を切り、生ゴミ破砕乾燥装置４に投入する機能を有する。生ゴミ破砕乾燥装置４は、生ゴミ投入装置３から投入された生ゴミを乾燥させながら破砕する機能を有する。
【００１８】
そして、生ゴミ破砕乾燥装置４に排気ファン７を備えて、臭気を強制的に排気できるようにして、臭気の漏れを防ぐ。
【００１９】
＜生ゴミ投入装置の構成＞
図２は生ゴミ投入装置の一例を示す構成図で、図２（ａ）は全体断面図、図２（ｂ）は図２（ａ）のＡ−Ａ矢視図である。生ゴミ投入装置３は、上部ユニット５と下部ユニット６を備える。上部ユニット５はシンク２に取り付けられ、下部ユニット６は例えば図１に示す生ゴミ破砕乾燥装置４に組み込まれて、上部ユニット５の下部に取り付けられる。
【００２０】
図３は上部ユニット５の構成例を示し、図３（ａ）は上方側から見た平面図、図３（ｂ）は下方側から見た平面図である。
【００２１】
上部ユニット５は、シンク２の水等を排水する排水口部８と、生ゴミの投入開口部９を備える。排水口部８は本例では投入開口部９の外側に形成され、排水口８ａに向かって下降する傾斜の斜面８ｂを備え、シンク２の水が斜面８ｂにより排水口８ａに流れ込む構成である。
【００２２】
投入開口部９は円形に開口し、蓋体着脱部１０を備える。蓋体着脱部１０は、図４に示す蓋体１１が着脱できるように取り付けられ、蓋体１１に形成したリブ１１ａが嵌るリブ１０ａを備える。蓋体１１を所定の向きで投入開口部９に嵌め、所定量回転させると、蓋体１１のリブ１１ａが蓋体着脱部１０のリブ１０ａと係止し、蓋体１１が上方に抜けない構成である。
【００２３】
また、投入開口部９は、蓋体１１を閉じた状態でロックする上蓋ロック機構１２を備える。
【００２４】
上蓋ロック機構１２は、蓋体１１をロックするスライドロック１３と、スライドロック１３に駆動力を伝達するリンク１４と、後述する駆動シャフトを支持するシャフト支持部１５を備える。
【００２５】
スライドロック１３は、投入開口部９の円周面に対して法線方向に移動可能に支持され、先端側に投入開口部９の内面から突出する係止爪１６が形成される。また、スライドロック１３は、係止爪１６が投入開口部９の内面から突出する方向に、例えばねじりコイルバネ１７により付勢されている。
【００２６】
スライドロック１３は、蓋体１１を蓋体着脱部１０に嵌め、所定の方向に回転させると、係止爪１６が押されてねじりコイルバネ１７に抗して退避する。そして、図４に示す蓋体１１の係止穴１１ｂが、係止爪１６と対向する位置となると、スライドロック１３はねじりコイルバネ１７に押されてスライド移動し、係止爪１６が蓋体１１の係止穴１１ｂに嵌る。
【００２７】
スライドロック１３は、係止爪１６が蓋体１１の係止穴１１ｂに嵌ると、蓋体１１の回転を規制して蓋体１１を閉じた状態でロックする形状を係止爪１６に備える。例えば、係止爪１６の一の面は斜面で構成され、他の面は投入開口部９の法線方向に沿った鉛直面で構成される。
【００２８】
リンク１４は、軸部１４ａを支点に回転自在に取り付けられ、軸部１４ａを挟んで一方の端部がスライドロック１３の他端側に回転自在に連結される。これにより、リンク１４の回転動作がスライドロック１３のスライド移動動作に変換される。また、リンク１４の他方の端部には、カム当接面１４ｂが形成される。カム当接面１４ｂは上下方向に所定の幅を有する。
【００２９】
シャフト支持部１５は例えば円筒形状で、後述する駆動シャフトが挿入され、該シャフトを回転自在に支持する。
【００３０】
図４に示すように、蓋体１１はマグネット１８を備える。また、上部ユニット５は、蓋体１１のマグネット１８を検出する上蓋検出センサ１９を備える。上蓋検出センサ１９は磁気を検出して出力が変化するセンサで、蓋体１１を投入開口部９に嵌めて所定の方向に回転させ、蓋体１１の係止穴１１ｂがスライドロック１３の係止爪１６に嵌る位置とすると、マグネット１８を検出可能な位置に備えられる。
【００３１】
下部ユニット６は、上部ユニット５の投入開口部９と接続される投入筒部２１と、投入筒部２１に対して開閉する底蓋２２と、底蓋２２および蓋体１１の開閉機構２３を備える。
【００３２】
投入筒部２１は上下端が開口した略円筒形状で、上部ユニット５の投入開口部９を介してシンク２の排水口２ａと連通する。下部ユニット６と上部ユニット５は、接続ダクト２４を介して接続される。接続ダクト２４は、下端側が投入筒部２１の上端開口部２１ａに嵌ると共に、上端側が上部ユニット５の投入開口部９に嵌って、投入筒部２１と投入開口部９を連通させる。ここで、接続ダクト２４は、屈曲部２４ａを備えて長さが調整できる構成である。
【００３３】
投入筒部２１は、下端開口部２１ｂに大径開口部２１ｃを備える。大径開口部２１ｃは、下端開口部２１ｂの内周面に外側へ向けた段差を設けて形成され、投入筒部２１の内周面より外側に、投入筒部２１の内径より大きな内径を有するシール面２１ｄが形成される。
【００３４】
また、投入筒部２１は、下端開口部２１ｂの一の側部に排水口２５を備える。排水口２５は、投入筒部２１を貫通して形成され、排水口２５の入り口には、フィルタ２６が取り付けられる。フィルタ２６は排水口２５の入り口を覆う例えば半円筒形状で、生ゴミ類は捕獲し、水分は通す機能を備え、交換できるように着脱自在となっている。
【００３５】
底蓋２２は、投入筒部２１の下端に開閉可能に取り付けられる。底蓋２２は、投入筒部２１の大径開口部２１ｃに嵌る円板形状の蓋部２７と、蓋部２７の外周の一部から突出して形成される軸部２８と、蓋部２７において軸部２８と対向する位置に形成される押圧部２９を備える。
【００３６】
底蓋２２の軸部２８は、蓋部２７の外周より外側で、蓋部２７の形成面より上側に形成され、軸部２８を支点に回転することで、底蓋２２は蓋部２７で投入筒部２１の大径開口部２１ｃを開閉する。
【００３７】
図５は底蓋２２の要部構成及び動作を示す断面図で、図５（ａ）は底蓋２２が開いた状態、図５（ｂ）は底蓋２２が開閉する過程の要部構成を示す。
【００３８】
底蓋２２の蓋部２７は、大径開口部２１ｃの内径より所定量小さな外径を有し、外周面にシール部材３０を備える。シール部材３０は例えばＯリングで構成され、蓋部２７の外周面に円周方向にわたって形成された溝２７ａに嵌められている。
【００３９】
シール部材３０は、蓋部２７の外周面から所定量突出しており、図２等に示すように、底蓋２２で投入筒部２１の下端開口部２１ｂを閉じて蓋部２７が大径開口部２１ｃに嵌ると、シール部材３０は大径開口部２１ｃに押圧されて弾性変形して、大径開口部２１ｃの内周面に密着する。
【００４０】
また、底蓋２２の蓋部２７は、シール部材３０より上側となる外周面の上端近傍にスクレーパ３１を備える。スクレーパ３１は断面形状が三角形状の例えばリング状のゴム材で構成され、蓋部２７の外周面に円周方向にわたって形成された溝に嵌められている。
【００４１】
スクレーパ３１は、蓋部２７の外周面から所定量突出しており、図５（ｂ）に示すように、底蓋２２で投入筒部２１の下端開口部２１ｂを開閉する際に、スクレーパ３１が大径開口部２１ｃのシール面２１ｄに接触する。
【００４２】
底蓋２２は、投入筒部２１の側部に備えた軸受部２１ｅに軸部２８が回転自在に支持されて、投入筒分２１に取り付けられる。軸受部２１ｅは、排水口２５の非形成位置、本例では、排水口２５に対して９０度の位置に設けられる。
【００４３】
図２に戻り、底蓋２２は、蓋部２７の上面に傾斜面２７ｄが形成される。傾斜面２７ｄは排水口２５に向けて下降する方向に傾斜している。ここで、底蓋２２を閉じた状態では、傾斜面２７ｄの最下端が排水口２５の下端と略同等、若しくは排水口２５の下端より若干上となる高さとする。
【００４４】
底蓋２２は、後述する回転翼の回転運動でこの回転翼に押されて閉じる動作を行うため、下面に押上凸部３２を備える。
【００４５】
押上凸部３２は、底蓋２２で投入筒部２１を閉じた状態では、回転翼の先端の軌跡に沿った形状で、かつ回転翼の軌跡より若干大きな曲面で構成される。
【００４６】
開閉機構２３は、上部ユニット５のリンク１４と当接する第１のロックカム３３と、底蓋２２の閉状態でのロックおよび開放補助を行う第２のロックカム３４と、第１のロックカム３３と第２のロックカム３４を連結する駆動シャフト３５と、駆動シャフト３５を駆動する駆動部３６を備える。
【００４７】
第１のロックカム３３は駆動シャフト３５に対して偏心したカム面を有する。第１のロックカム３３はリンク１４のカム当接面１４ｂに当接し、駆動シャフト３５が駆動されることで、蓋体１１のロックの解除を行う。
【００４８】
第２のロックカム３４は、図６に示すように、駆動シャフト３５を挟んで押上面３４ａと押下面３４ｂを備える。
【００４９】
第２のロックカム３４の押上面３４ａは上向きの斜面と斜面から連続する平面で構成され、第２のロックカム３４が所定の一の方向に回転することで、底蓋２２の押圧部２９に下側から当接し、底蓋２２を押し上げる。
【００５０】
また、第２のロックカム３４の押下面３４ｂは下向きの斜面で構成され、第２のロックカム３４が他の方向に回転することで、押下面３４ｂは底蓋２２の押圧部２９に上側から当接し、底蓋２２を押し下げる。
【００５１】
ここで、底蓋２２に対する第２のロックカム３４による力の作用点を軸部２８と反対側とすることで、底蓋２２を閉状態でロックするときに、確実にロック可能となる。
【００５２】
駆動シャフト３５は下部ユニット６にブラケット３７により支持され、上端側に第１のロックカム３３が取り付けられ、下端側に第２のロックカム３４が取り付けられる。
【００５３】
また、ブラケット３７には、駆動部３６を構成するステッピングモータ３６ａおよびギア３６ｂが取り付けられ、駆動シャフト３５には、ステッピングモータ３６ａからギア３６ｂ等を介して駆動力が伝達される。
【００５４】
更に、第１のロックカム３３および第２のロックカム３４の向きを検出するため、駆動シャフト３５にはマグネット３８が取り付けられる。また、ブラケット３７に、マグネット３８を検出するカム位置検出センサ３９が取り付けられる。
【００５５】
さて、駆動シャフト３５の上端は、上部ユニット５のシャフト支持部１５に支持され、第１のロックカム３３の回転で、リンク１４を介してスライドロック１３を移動させる。
【００５６】
駆動シャフト３５は第１のロックカム３３と第２のロックカム３４が取り付けられるので、駆動部３６の駆動力を受けて第１のロックカム３３と第２のロックカム３４は連動して回転する。これにより、底蓋２２のロックおよびロック解除と、蓋体１１のロック解除の一連の動作が、１つの駆動源によって行われる。
【００５７】
＜生ゴミ破砕乾燥装置の構成＞
図１に示す生ゴミ破砕乾燥装置４は、カバー４１の内部に処理容器４２を備える。処理容器４２は上部に上述した下部ユニット６が取り付けられ、下部ユニット６を備えた生ゴミ投入装置３で投入口を構成している。また、処理容器４２は内部に攪拌・乾燥空間４３が形成されると共に、回転翼４４が取り付けられる。攪拌・乾燥空間４３は、少なくとも下半分は回転翼４４の軌跡に沿って円筒形状を有する。
【００５８】
＜回転翼の構成＞
図７は回転翼４４の構成例を示す斜視図、図８は回転翼４４の構成例を示す断面図である。また、図９は処理容器４２を回転翼４４の軸線方向に沿った面で切断した断面図である。
【００５９】
回転翼４４は攪拌手段の一例で、中空の軸部４５と、この軸部４５と連続形成されると共に中空の翼部４６を備える。軸部４５の内部と翼部４６の内部は連通している。
【００６０】
軸部４５の一端部は、図９に示すように処理容器４２の一方の軸受部４２ａに回転自在に挿入され、他端部は処理容器４２の他方の軸受部４２ｂに回転自在に挿入されて、回転翼４４は処理容器４２に対して回転自在となっている。
【００６１】
翼部４６は軸部４５の軸線方向に対して交する方向に延在し、先端は複数本の溝部４７が形成されて櫛状となっている。
【００６２】
また、翼部４６は一の斜面４６ａに複数のスリット（噴出口）４８が形成される。スリット４８は、回転翼４４の軸方向に並列して、斜面４６ａに沿って配置される。
【００６３】
各スリット４８は翼部４６に沿って延在して回転翼４４の内外を連通し、スリット４８の間の翼部４６は、図８に示すように、斜面４６ａに対してオーバハングさせて、生ゴミや乾燥ゴミ粉等の侵入防止部４６ｂが形成される。これにより、翼部４６に対する鉛直方向から、スリット４８を通過して翼部４６の内部に直接にゴミ類が入り込みにくい構成としている。なお、侵入防止部４６ｂを形成するため、斜面４６ａを肉厚にすると共に、斜面４６ａの傾斜がきつくなるように、翼部４６の中心４６ｃは軸部４５の中心４５ｃに対してオフセットした形状である。
【００６４】
また、翼部４６には翼部４６に堆積したゴミ類を一の斜面４６ａから他の面側へ落すため、翼部４６には複数の貫通窓４９が形成される。
【００６５】
更に、翼部４６の先端にはそれぞれワイパ５０が取り付けられる。ワイパ５０は弾性部材による弾性片で構成される。ここで、回転翼４４の翼部４６は、その先端が処理容器４２の攪拌・乾燥空間４３の円周面に対して所定の隙間が開くように形成される。ワイパ５０は、図１０に示すように、翼部４６の先端から突出して、処理容器４２の内周面に当接する。
【００６６】
なお、回転翼４４は第１の部材と第２の部材を組み合わせて構成され、ワイパ５０は翼部４６における分割面に挟み込まれ、図示しないネジおよびボスによって位置決めされて固定される。
【００６７】
＜処理容器の構成＞
処理容器４２は、図１に示すように、回転翼４４の位置を検出する原点位置検出センサ５１ａと、底蓋押上位置検出センサ５１ｂを備える。図１では、回転翼４４が原点位置にある状態を示す。本例では、回転翼４４の原点位置は、翼部４６が鉛直下向きとなる状態である。後述するが、下部ユニット６の底蓋２２が開いた状態で、回転翼４４を底蓋押上位置検出センサ５１ｂで検出される位置まで回転させると、回転翼４４で底蓋２２を押し上げて、底蓋２２を閉じる動作を行う。
【００６８】
処理容器４２はＰＴＣヒータ５２を備える。ＰＴＣヒータ５２は乾燥手段を構成する加温手段の一例で、正極性のサーミスター特性を有するヒータで、温度が上昇すると抵抗値が上昇し、これにより消費する電流が制御される共に温度上昇が緩やかになり、その後、消費電流および発熱部の温度が、飽和領域に達して安定していくものであり、自己温度制御を行う。
【００６９】
このように、ＰＴＣヒータ５２では、ヒータの温度が上昇すると消費電流が低くなり、その後一定温度の飽和領域に達すると、消費電流が低い値で安定する特性があるために、これを用いることにより、消費電力の節約ができるとともに、発熱体の温度の異常上昇を防止可能であるという利点がある。
【００７０】
このＰＴＣヒータ５２が、処理容器４２の底部付近の外周に貼り付けられ、断熱材で被覆されて、処理容器４２内が加温される。
【００７１】
図１１および図１２は処理容器４２の構成例を示す斜視図である。処理容器４２は正面となる位置に排出口５３を備える。排出口５３は例えば長方形の開口である。処理容器４２は排出口５３の左右両側にガイドリブ５４を備える。ガイドリブ５４はガイド溝５５を備える。
【００７２】
図１３はガイドリブの構成例を示す斜視図で、ガイド溝５５は、閉塞ガイド部５５ａと、昇降ガイド部５５ｂと、開放ガイド部５５ｃを備える。また、昇降ガイド部５５ｂには、着脱ガイド部５５ｄが形成される。
【００７３】
着脱ガイド部５５ｄは、昇降ガイド部５５ｂからガイドリブ５４の端部まで連通する凹状となっている。更に、着脱ガイド部５５ｄには、ロックレバー５６を備える。ロックレバー５６は、ガイドリブ５４にスライド移動自在に取り付けられ、着脱ガイド部５５ｄを開閉する。
【００７４】
図１１および図１２に戻り、ガイドリブ５４は外側に向けて凹状の係止穴５７が形成される。また、排出口５３にはカバーユニット５８が取り付けられる。カバーユニット５８は、左右両側に図１３に示すガイドボス５９を備える。カバーユニット５８は、各ガイドボス５９が左右のガイドリブ５４のそれぞれのガイド溝５５に嵌り、処理容器４２に取り付けられる。ここで、カバーユニット５８の下端が処理容器に当接する構成として、ガイドボス５９を支点とした回転動作を規制して、カバーユニット５８はガイド溝５５に沿ってスライド移動する。
【００７５】
カバーユニット５８は操作レバー６０を備える。図１４は操作レバーの構成例を示す要部説明図である。操作レバー６０はプレート６０ａを備え、図１１および図１２に示すカバーユニット５８の下部左右両側にスライド移動自在に取り付けられる。操作レバー６０を操作することで、プレート６０ａがスライド移動し、カバーユニット５８の側部から突出あるいは退避する。
【００７６】
操作レバー６０はマグネット６０ｂを備える。また、処理容器４２は排出口開閉検出センサ６１を備える。排出口開閉検出センサ６１はマグネットセンサで、操作レバー６０が操作されてプレート６０ａがガイドリブ５４の係止穴５７に入る位置にあると、マグネット６０ｂを検出する。これにより、操作レバー６０のプレート６０ａがガイドリブ５４の係止穴５７に入り、カバーユニット５８が排出口５３を閉じてロック状態にあることを検出できる。
【００７７】
図１に戻り、カバーユニット５８は裏面側に複数組のカッター６２を備える。各カッター６２は破砕手段の一例で、排出口５３を閉じた位置にあるカバーユニット５８の裏面から処理容器４２内に突出し、周方向に対する位置と軸線方向に対する位置が互いにずれて配置される。
【００７８】
各カッター６２は扇状に形成され、その一側縁部に刃部６２ａが形成される。また刃部６２ａの一端側には図示しない軸部を備え、図示しないばね部材により、刃部６２ａが突出する方向に付勢されている。これにより、カッター６２に過大な力が加わった時に、軸部を支点に回転して処理容器４２の内面からカバーユニット５８内へ退避できるようになっている。
【００７９】
＜ゴミ袋取り付け機構の構成＞
処理容器４２は、図１１，図１２に示すように、排出口５３に袋取付アーム６３を備える。袋取付アーム６３はガイドリブ５４の両側に１本ずつ取り付けられ、下端側が軸部６３ａにより回転自在に処理容器４２に支持されて、左右の袋取付アーム６３が連動して開閉する。
【００８０】
袋取付アーム６３は、処理容器４２の排出口５３が形成される部位の外形に沿って湾曲した２枚のヘラ６３ｂを備える。このヘラの長さは、排出口５３の高さ方向の長さより、若干長い長さを有する。
【００８１】
また、処理容器４２は、排出口５３の下側に排出板６４を備える。排出板６４はガイドリブ５４の間に取り付けられ、排出口５３の下端付近から斜め前方下向きに延在して、排出口５３の下側の一部を覆う形状である。
【００８２】
＜回転翼の駆動機構＞
図１５は回転翼の駆動機構および送風機構の構成を示す説明図である。回転翼４４（図１５では図示せず）は処理容器４２から突出する一方の軸部４５に平ギア６５が取り付けられる。処理容器４２には平ギア６５をかみ合うカウンタギア６６が取り付けられ、カウンタギア６６に、モータ６７に取り付けられた小ギア６８がかみ合う。
【００８３】
モータ６７を回転させると、小ギア６８、カウンタギア６６および平ギア６５を介して回転翼４４に駆動力が伝達され、回転翼４４は軸部４５を中心軸として回転する。
【００８４】
＜回転翼への送風機構＞
カバー４１には送風ファン６９が取り付けられる。送風ファン６９は乾燥手段を構成する送風手段の一例で、例えばシロッコファンと称される多翼ファンで構成され、吸気口６９ａから空気が吸い込まれる。また、空気を吹き出す排気口６９ｂがダクト７０で回転翼４４（図１５では図示せず）の軸部４５の一端と繋がっている。ここで、ダクト７０と軸部４５の接続は、気密性を保ちつつ、かつ、ダクト７０に対して軸部４５が回転自在となる構成を備える。
【００８５】
＜吸気機構＞
図１６はカバーの吸気機構を示す斜視図である。カバー４１には図１６（ａ）に示すように吸気口７１を備える。カバー４１は気密性を有し、吸気口７１から外気を吸気する。吸気口７１に図１６（ｂ）に示すように逆止弁７２を備える。逆止弁７２は、例えば、図１５に示す送風ファン６９を駆動することによる吸気でカバー４１内の圧力が負圧となると開口して吸気口７１より外気を吸気できる状態となる。また、送風ファン６９の駆動を停止することで、カバー４１内部と外部との圧力差がゼロあるいは正圧となると、ばねまたは自重により閉じる構成を有する。
【００８６】
これにより、送風ファン６９を駆動することによる吸気で吸気口７１では逆止弁７２が開き、外気を吸気する。これにより、送風ファン６９は回転翼４４の内部に送風を行う。
【００８７】
また、送風ファン６９の駆動を停止すると、逆止弁７２は閉じ、カバー４１内部の空気が吸気口７１からカバー外へ漏れることを防ぐ。
【００８８】
＜排気機構＞
図１７は処理容器４２の排気機構の構成を示す説明図である。図１１に示すように、処理容器４２は上部に排気口７４が形成され、排気口７４に図１７に示すフィルタユニット７５が取り付けられる。また、処理容器４２の上部には、フィルタユニット７５と接続される排気ファン７と、排気ファン７と接続される逆止弁ユニット７６が取り付けられる。
【００８９】
排気ファン７は排気手段の一例で、例えばシロッコファンと称される多翼ファンで構成され、吸気口７ａがフィルタユニット７５と接続され、処理容器４２内の空気（臭気）をフィルタユニット７５を介して吸い込む。また、排気ファン７は排気口７ｂが逆止弁ユニット７６と接続され、吸い込んだ処理容器４２内の空気を逆止弁ユニット７６を通過させて排気する。
【００９０】
フィルタユニット７５が取り付けられる排気ファン７の吸気口７ａは、上端側が下端側に対して後退する方向に傾斜している。
【００９１】
ここで、排気ファン７と送風ファン６９は、風量及び圧力能力が略同等となるように構成される。
【００９２】
図１８はフィルタユニットの構成を示す説明図である。フィルタユニット７５は、カバー７７と、フィルタ７８と、ブラシ７９を備える。カバー７７は、処理容器４２の上部に設けた排気口７４に取り付けられる第１の接合部８０と、第１の接合部８０に形成される爪部８１と、爪部８１と対向する部位に形成されるネジ止め部８２を備える。また、排気ファン７の吸気口７ａに取り付けられる第２の接合部８４を備える。
【００９３】
ここで、第２の接合部８４は、上端側が下端側に対して突出する方向に、第１の接合部８０に対して鉛直面から傾斜させて、排気ファン７の吸気口７ａの形状と合致させてある。
【００９４】
フィルタ７８は、第１の接合部８０と第２の接合部８４の間に備えられる。また、ブラシ７９は、フィルタ７８の面に沿って移動自在となるようにカバー７７に取り付けられる。ブラシ７９には操作棒７９ａが取り付けられ、カバー７７の外部より操作棒７９ａを操作することで、ブラシ７９をフィルタ７８の面に沿って移動させて、フィルタ７８を清掃することができる。ここで、フィルタ７８の汚れ具合をカバー７７の外部より目視できるようにするため、例えばカバー７７を透明な樹脂で形成すると良い。
【００９５】
フィルタユニット７５は、カバー７７の爪部８１を図１１に示す処理容器４２の係止穴８５に嵌め、ネジ止め部８２を図示しないネジで処理容器４２に固定すると、第１の接合部８０が排気口７４と密着する。また、第２の接合部８４は下向きの斜面で形成されるので、第１の接合部８０を排気口７４に押し付ける力で、排気ファン７の吸気口７ａに密着する。
【００９６】
これにより、フィルタユニット７５において吸気側となる部位と排気側となる部位のそれぞれを密着させた状態で処理容器４２および排気ファン７に取り付けることができ、臭気が外部へ漏れることを防ぐ。
【００９７】
また、ネジを締めることで、気密性が保たれる状態とできるので、交換が容易であり、ブラシ７９による清掃でも初期の機能を果たせなくなったフィルタ７８は、フィルタユニット７５ごと容易に交換することができ、装置全体としても性能を維持することができる。
【００９８】
逆止弁ユニット７６は、図示しない電磁弁等による逆止弁を備え、排気の流路を開放および閉塞できる構成である。処理容器４２の排気口７４は、図１５および図１７に示すように、フィルタユニット７５、排気ファン７および逆止弁ユニット７６を介して、ダクト８６により排水トラップ８７ａより下流の排水管８７に接続される。そして、排水管８７が詰まる等により排水が逆流してきた場合は、水の流入をセンサで検出し、逆止弁を閉じることで、排水の排気ファン７、フィルタユニット７５さらには処理容器４２内への逆流を防ぐ。
【００９９】
ここで、排水トラップ８７ａより上流側の排水管８７には、生ゴミ投入装置３を構成する下部ユニット６に備えた排水口２５が、ダクト８７ｂを介して接続される。また、上部ユニット５に備えた排水口８ａがダクト８７ｃを介して接続される。
【０１００】
なお、図１１に示すように、処理容器４２の下部に水抜き用のドレインコック４２ｅを備えることで、処理能力以上の水が処理容器４２に入り込んだ場合に、これを外部に排出できるようにしてある。また、処理容器４２の一部を透明にすることで、例えば水が溜まったことなどを目視により確認できる。
【０１０１】
＜処理容器の分割機構＞
処理容器４２は、図１９に示すように第１のケース４２ｃと第２のケース４２ｄを組み合わせて構成される。第１のケース４２ｃと第２のケース４２ｄは例えばネジ止めにより分解可能に一体とされ、第１のケース４２ｃと第２ケース４２ｄの分割面は、回転翼４４の軸受部４２ａ，４２ｂとする。
【０１０２】
これにより、図１９に示すように第１のケース４２ｃを取り外すと、回転翼４４を取り外して交換できる構成となっている。ここで、下部ユニット６は装置背面側の第２のケース４２ｄに備えられ、第１のケース４２ａを取り外しても、装置本体側に残る構成である。すなわち、図１に示すように、下部ユニット６はシンク２に取り付けられる上部ユニット５と接続しているので、処理容器４２の分解時に、装置本体側に残るようにすることで、処理容器４２の分解を容易にしている。
【０１０３】
＜生ゴミ処理装置の制御構成＞
図２０は生ゴミ処理装置の制御ブロック図である。制御装置９１は、システムコントローラ９２を備える。システムコントローラ９２は制御手段の一例で、上述した上蓋検出センサ１９、カム位置検出センサ３９、原点位置検出センサ５１ａ、底蓋押上位置検出センサ５１ｂおよび排出口開閉検出センサ６１等が接続される。
【０１０４】
システムコントローラ９２は、上蓋検出センサ１９の出力から、蓋体１１が投入開口部９を塞いでロック状態となっているかどうかを検出する。また、カム位置検出センサ３９の出力から、蓋体１１のロック解除を行う第１のロックカム３３と、底蓋２２のロックおよびロック解除を行う第２のロックカム３４の位置を検出する。更に、原点位置検出センサ５１ａおよび底蓋押上位置検出センサ５１ｂの出力から回転翼４４の位置を検出し、排出口開閉検出センサ６１の出力からカバーユニット５８の開閉を検出する。
【０１０５】
また、システムコントローラ９２にはステッピングモータ３６ａ、モータ６７、ＰＴＣヒータ５２、排気ファン７を駆動するファンモータおよび送風ファン６９を駆動するファンモータが接続される。システムコントローラは、各センサの出力から、所定のプログラムによって、ステッピングモータ３６ａ、モータ６７、排気ファン７および送風ファン６９を駆動するファンモータの回転および回転停止を行う。また、ＰＴＣヒータ５２のオンおよびオフを行う。更に、システムコントローラ９２には逆止弁ユニット７６の逆止弁を駆動するステッピングモータ等を接続しても良い。
【０１０６】
＜生ゴミ処理装置の動作＞
次に、各図を参照して生ゴミ処理装置１の動作について説明する。
【０１０７】
＜生ゴミの投入動作＞
まず、蓋体１１が開いた状態では、図１に示すように、底蓋２２は投入筒部２１の下端開口部２１ｂを閉じている。また、図２に示すように、第２のロックカム３４の押上部３４ａで底蓋２２の押圧部２９を押し上げている。
【０１０８】
これにより、図２に示すように、底蓋２２の蓋部２７が、投入筒部２１の大径開口部２１ｃに嵌り、蓋部２７の外周面に備えたシール部材３０が、大径開口部２１ｃのシール面２１ｄに押圧されて密着している。
【０１０９】
投入筒部２１に連通した投入開口部９から生ゴミを投入すると、投入された生ゴミは底蓋２２上に集積される。上述したように、底蓋２２はシール部材３０が大径開口部２１ｃのシール面２１ｄに押圧されているので、生ゴミに含まれる水分の底蓋２２からの漏れが抑えられる。
【０１１０】
また、大径開口部２１ｃは、投入筒部２１の内周面に対して外側へ向けて段差が形成されており、投入筒部２１の内径Ｌ１より、大径開口部２１ｃの内径Ｌ２の方が大きく、シール部材３０と当接するシール面２１ｄが、投入筒部２１の内周面に露出しない。これにより、シール部材３０及びシール面２１ｄへの生ゴミの付着が大幅に低減される。更に、誤ってフォーク等が投入されても、シール部材３０を傷つけることはない。
【０１１１】
投入筒部２１に投入された生ゴミが底蓋２２上に集積されると、底蓋２２の上面に傾斜面２７ｄが形成されているので、水分は傾斜面２７ｄに沿って排水口２５から排水トラップ８７ａの上流側の排水管８７に排水される。ここで、排水口２５にはフィルタ２６が取り付けられるので、生ゴミ類はフィルタ２６を通ることはなく、水分が排水口２５から排水される。
【０１１２】
図２１は生ゴミ投入時の処理の流れを示すフローチャートで、次に、底蓋２２の開閉動作について説明する。投入開口部９から投入筒部２１に投入された生ゴミを生ゴミ処理装置１で処理するため、まず、蓋体１１で投入開口部９を閉じる（ステップＡ１）。
【０１１３】
蓋体１１を投入開口部９に嵌め、所定の方向に回転させると、蓋体１１の係止穴１１ｂにスライドロック１３の係止爪１６が嵌り、蓋体１１の回転が規制される。また、蓋体１１のリブ１１ａが投入開口部９のリブ１０ａに嵌り、蓋体１１の上方への移動を規制する。これにより、蓋体１１は投入開口部９に閉状態でロックされる。
【０１１４】
蓋体１１の係止穴１１ｂにスライドロック１３の係止爪１６が嵌る位置となると、蓋体１１のマグネット１８を上蓋検出センサ１９が検出する。これにより、システムコントローラ９２は、蓋体１１が開口投入部９に嵌り、閉状態でロックされたことを検出する（ステップＡ２）。
【０１１５】
システムコントローラ９２は、上蓋検出センサ１９で蓋体１１のロックを検出すると、原点位置検出センサ５１ａの出力から回転翼４４の位置を検出する。すなわち、回転翼４４が回転している場合は、原点位置検出センサ５１ａが回転翼４４を検出すると、モータ６７の回転を停止して、回転翼４４を原点位置で停止させる（ステップＡ３）。
【０１１６】
また、システムコントローラ９２は、送風ファン６９を駆動するファンモータ及び排気ファン７を駆動するファンモータの回転を停止する。本例では、送風ファン６９及び排気ファン７の回転を停止すると、カバー４１内部と外部との圧力の関係で逆止弁７２が閉じる。更に、ステッピングモータで逆止弁ユニット７６の逆止弁を閉じ、ＰＴＣヒータ５２を停止する（ステップＡ４）。
【０１１７】
システムコントローラ９２は、上蓋検出センサ１９で蓋体１１のロックを検出すると、一定時間経過後に、ステッピングモータ３６ａの駆動を開始する。ここで、システムコントローラ９２は、上蓋検出センサ１９で蓋体１１のロックを検出してから、一定時間経過するまでに、上述したステップＡ３およびステップＡ４の処理を行う。
【０１１８】
図２２は蓋体１１及び底蓋２２のロックおよびロック解除を行う各ロックカムの底蓋２２のロックを解除する際の動作を示す説明図である。図２２の上段は、蓋体１１のロック及びロック解除を行う第１のロックカム３３の動作を示し、図２２の下段は、底蓋２２のロック及びロック解除を行う第２のロックカム３４の動作を示す。
【０１１９】
図２２（ａ）は第１のロックカム３３および第２のロックカム３４が原点位置にある状態を示す。第１のロックカム３３が原点位置にある状態では、スライドロック１３は係止爪１６が投入開口部９から突出する。また、第２のロックカム３４が原点位置にある状態では、押上部３４ａが底蓋２２に当接して押し上げている。
【０１２０】
システムコントローラ９２は、上蓋検出センサ１９で蓋体１１のロックを検出して一定時間経過すると、ステッピングモータ３６ａを駆動して第２のロックカム３４を矢印ａ方向に回転させ、底蓋２２を開く動作を開始する（ステップＡ５）。
【０１２１】
図２２（ｂ）は第２のロックカム３４を原点位置から矢印ａ方向に９０度回転させた状態を示す。第２のロックカム３４が原点位置から矢印ａ方向に９０度回転すると、押上部３４ａが徐々に底蓋２２から離れるが、この状態ではまだ底蓋２２を保持している。
【０１２２】
ここで、第２のロックカム３４と第１のロックカム３３は図２に示すように駆動シャフト３５で連結されるので、第２のロックカム３４を回転させると第１のロックカム３３も連動して回転する。第１のロックカム３３が原点位置から矢印ａ方向に９０度回転すると、リンク１４から離れる。この状態では、スライドロック１３は移動しない。
【０１２３】
図２２（ｃ）は第２のロックカム３４を原点位置から矢印ａ方向に１３０度回転させた状態を示す。第２のロックカム３４が原点位置から矢印ａ方向に１３０度回転すると、押上部３４ａが底蓋２２から離れる。これにより、第２のロックカム３４による底蓋２２の閉状態でのロックが解除される。
【０１２４】
底蓋２２は鉛直方向に開くので、第２のロックカム３４によるロックが解除されると、自重および生ゴミの重さで軸部２８を支点にして開く。図５（ｂ）に示すように、底蓋２２が投入筒部２１を開閉する際は、スクレーパ３１が大径開口部２１ｃのシール面２１ｄに接触する。これにより、底蓋２２が軸部２８を支点にして開くと、スクレーパ３１がシール面２１ｄをこすり、シール面２１ｄに付着していた生ゴミ等の付着物が除去される。
【０１２５】
図２３は底蓋２２が開いた状態の生ゴミ処理装置１の内部構成図である。底蓋２２が開くと、底蓋２２の載せられた生ゴミは、処理容器４２内に投入される。このとき、回転翼４４は原点位置で停止しているので、底蓋２２の開放動作中に、底蓋２２が回転翼４４に接触することはない。
【０１２６】
ここで、底蓋２２は、排水のために上面に傾斜面２７ｄが形成されており、底蓋２２上の生ゴミは、傾斜面２７ｄの傾斜する排水口２５方向に溜まり易い。このため、底蓋２２の開閉の支点となる軸部２８が排水口２５と同じ側にあると、底蓋２２を開放したときに、底蓋２２から落下する生ゴミが蓋部２７の角部等に乗り易くなる。蓋部２７の角部等に生ゴミが付着すると、後述するように底蓋２２を閉じたときに、生ゴミが蓋部２７のシール部材３０と大径開口部２１ｃのシール面２１ｄとの間に挟まってしまい、シール性が劣化する。
【０１２７】
このため、底蓋２２の開閉の支点となる軸部２８を、排水口２５の非形成位置、本例では排水口２５に対して９０度の位置に設けることで、底蓋２２上で生ゴミが溜まり易い位置と、開閉の支点の位置をずらす。これにより、底蓋２２を開放したときに、底蓋２２から落下する生ゴミが、蓋部２７の角部等に乗りにくくして、底蓋２２を閉めたときのシール性の劣化を防ぐ。
【０１２８】
また、底蓋２２の軸部２８は、蓋部２７の外周より外側で、蓋部２７の形成面より上側に形成されているので、図５（ａ）に示すように、底蓋２２を開放すると、蓋部２７の傾斜面２７ｄの頂点が、投入筒部２１の大径開口部２１ｃの内周面より外側にＬ３だけオフセットされる。これにより、底蓋２２を開放したときに、底蓋２２から落下する生ゴミが蓋部２７に接しにくくなり、生ゴミの残留及びシール性の劣化を防ぐ。
【０１２９】
さて、通常は底蓋２２は第２のロックカム３４によるロックが解除されれば自重等で自動的に開くが、シール部材３０がシール面２１ｄに貼り付く等によって、自重では開かない状態が考えられる。そこで、第２のロックカム３４によって底蓋２２を強制的に開く。
【０１３０】
図２２（ｄ）は第２のロックカム３４を原点位置から矢印ａ方向に１８０度回転させた状態を示す。第２のロックカム３４が原点位置から矢印ａ方向に１８０度回転すると、押下部３４ｂが底蓋２２の押圧部２９を上方から押圧する。これにより、底蓋２２には強制的に開く力が加わり、シール部材３０が貼り付く等によって、自重では開かない状態であっても、強制的に開くことができる（ステップＡ６）。
【０１３１】
システムコントローラ９２は、第２のロックカム３４および第１のロックカム３３を原点位置から矢印ａ方向に１８０度回転させると、ステッピングモータ３６ａの駆動を停止する。ここで、第２のロックカム３４および第１のロックカム３３の回転角度は、カム位置検出センサ３９で原点位置を検出しておき、ステッピングモータ３６ａの回転位相で制御する。
【０１３２】
なお、第１のロックカム３３が原点位置から矢印ａ方向に１８０度回転する間は、第１のロックカム３３はリンク１４から離れており、スライドロック１３は移動しない。これにより、蓋体１１は閉状態でロックされたままである。このため、底蓋２２が開いた状態で、蓋体１１を開くことはできず、処理容器４２からの臭気の逆流および処理容器４２内への水分の流入を防ぐ。
【０１３３】
さて、上蓋検出センサ１９で蓋体１１のロックを検出してから、ステッピングモータ３６ａの駆動を開始して底蓋２２を開くまでの時間としては数秒程度、例えば５秒程度に設定する。
【０１３４】
これは、投入開口部９から投入筒部２１に投入された生ゴミは水分を含んでいると考えられるので、蓋体１１が閉じられた後でも底蓋２２上で待機させることで水分を切ってから、処理容器４２内に投入するためである。
【０１３５】
システムコントローラ９２は、第２のロックカム３４および第１のロックカム３３を原点位置から矢印ａ方向に１８０度回転させてステッピングモータ３６ａの駆動を停止すると、モータ６７により回転翼４４を図２４に示すように矢印ｃ方向に回転させる（ステップＡ７）。
【０１３６】
底蓋２２が開放した状態で、原点位置にある回転翼４４を矢印ｃ方向に回転させると、底蓋２２は回転翼４４の回転軌跡中に存在するので、回転翼４４の翼部４６が底蓋２２に接触する。更に、図２５に示すように、回転翼４４を底蓋押上検出センサ５１ｂで検出されるまで回転させると、回転翼４４は押上凸部３２を介して底蓋２２を押し上げ、底蓋２２は軸部２８を支点とした回転動作で閉じる。
【０１３７】
図５（ｂ）に示すように、底蓋２２が投入筒部２１を開閉する際は、スクレーパ３１が大径開口部２１ｃのシール面２１ｄに接触する。これにより、底蓋２２が軸部２８を支点にして閉じると、スクレーパ３１がシール面２１ｄをこすり、シール面２１ｄの内周面に付着していた生ゴミ等の付着物が除去される。従って、底蓋２２の１回の開閉動作において、スクレーパ３１によるシール面２１ｄの清掃が、開くときと閉じるときで２回行われるので、清掃性が向上する。
【０１３８】
システムコントローラ９２は、底蓋押上検出センサ５１ｂが回転翼４４を検出すると、モータ６７の回転を停止する。これにより、底蓋２２は回転翼４４に支持された状態で、投入筒部２１を塞ぐ。
【０１３９】
ここで、モータ６７の回転を開始してから、所定時間経過しても底蓋押上検出センサ５１ｂが回転翼４４を検出しない場合は、システムコントローラ９２は、モータ６７を所定量逆転させて回転翼４４を原点位置あるいは原点位置を多少越える程度まで戻し、リトライする。なお、複数回のリトライでも底蓋押上検出センサ５１ｂが回転翼４４を検出しない場合は、アラームを発生してエラーとする。
【０１４０】
なお、このエラー時では、底蓋２２は開放した状態であると考えられるので、システムコントローラ９２は蓋体１１を閉状態でロックしたままとすると共に、逆止弁ユニット７６の逆止弁を閉じたままとして、臭気の拡散と処理容器４２内への水分の浸入を防ぐ。
【０１４１】
なお、図１に示すように、シンク２には投入開口部９と並列して排水口部８が形成され、排水口部８は蓋体１１では塞がれないので、蓋体１１を閉じたままでも、通常のシンクとしての機能は果たすようになっている。
【０１４２】
システムコントローラ９２は、底蓋押上検出センサ５１ｂが回転翼４４を検出してモータ６７の回転を停止すると、ステッピングモータ３６ａを回転させ、第２のロックカム３４および第１のロックカム３３を、図２２（ｄ）の状態から、矢印ｂ方向に回転させる。
【０１４３】
第２のロックカム３４が図２２（ｂ）の状態まで矢印ｂ方向に回転すると、押上部３４ａが底蓋２２の押圧部２９に接触して、底蓋２２を押し上げる。そして、第２のロックカム３４が図２２（ａ）の状態まで矢印ｂ方向に回転すると、押上部３４による押上動作は完了する（ステップＡ８）。
【０１４４】
ここで、第１のロックカム３３は、図２２（ｄ）の状態から図２２（ａ）の状態まで矢印ｂ方向に回転する間は、リンク１４と接触しないので、スライドロック１３は移動しない。これにより、蓋体１１は閉状態でロックされたままである。
【０１４５】
図２６は蓋体１１及び底蓋２２のロックおよびロック解除を行う各ロックカムの蓋体１１のロックを解除する際の動作を示す説明図である。図２６の上段は、蓋体１１のロック及びロック解除を行う第１のロックカム３３の動作を示し、図２６の下段は、底蓋２２のロック及びロック解除を行う第２のロックカム３４の動作を示す。
【０１４６】
図２６（ａ）は第１のロックカム３３および第２のロックカム３４が原点位置にある状態を示す。
【０１４７】
図２６（ｂ）は第１のロックカム３３を原点位置から矢印ｂ方向に９度回転させた状態を示す。第１のロックカム３３が原点位置から矢印ｂ方向に９度回転すると、リンク１４のカム当接面１４ｂに接触する。
【０１４８】
図２６（ｃ）は第１のロックカム３３を原点位置から矢印ｂ方向に７５度回転させた状態を示す。第１のロックカム３３が原点位置から矢印ｂ方向に７５度回転すると、リンク１４のカム当接面１４ｂを押し、リンク１４を軸部１４ａを支点に矢印ｄ方向に回転させる。
【０１４９】
リンク１４は、軸部１４ａを挟んで一方の端部がスライドロック１３の他端側に回転自在に連結される。これにより、リンク１４の回転動作がスライドロック１３のスライド移動動作に変換され、係止爪１６が図４に示す蓋体１１の係止穴１１ｂから退避する。
【０１５０】
これにより、蓋体１１のロックが解除され、所定の方向に回転させることで、投入開口部９から取り外すことができる（ステップＡ９）。
【０１５１】
なお、第２のロックカム３４が原点位置から矢印ｂ方向に７５度回転する間は、押上部３４ａの平面部分が底蓋２２と接触しており、底蓋２２が閉状態でロックされる。
【０１５２】
システムコントローラ９２は、第１のロックカム３３および第２のロックカム３４を原点位置から矢印ｂ方向に７５度回転させると、ステッピングモータ３６ａの駆動を停止する。そして、上蓋検出センサ１９の出力から、蓋体１１が外されたかどうか検出する（ステップＡ１０）。
【０１５３】
蓋体１１が取り付けられたままであると、ステッピングモータ３６ａを停止させたままとし、蓋体１１のロックを解除した状態を保持する。
【０１５４】
蓋体１１が取り外されると、システムコントローラ９２は、ステッピングモータ３６ａを図２６（ｃ）に示す状態から矢印ａに回転させ、図２６（ａ）に示す原点位置に戻す（ステップＡ１１）。
【０１５５】
システムコントローラ９２は、カム位置検出センサ３９の出力から第１のロックカム３３および第２のロックカム３４が原点位置に戻ったことを検出すると、ステッピングモータ３６ａの回転を停止する。
【０１５６】
上述したように、第１のロックカム３３が原点位置にある状態では、スライドロック１３は係止爪１６が投入開口部９から突出する。また、第２のロックカム３４が原点位置にある状態では、押上部３４ａが底蓋２２に当接して押し上げている。これにより、投入開口部９から生ゴミを投入できる状態となる。
【０１５７】
なお、第２のロックカム３４で底蓋２２を閉状態でロックしている状態では、押上凸部３２の下端面は回転翼４４の翼部４６の回転軌跡の外にあり、閉じた状態の底蓋２２が回転翼４４の回転の妨げになることはない。
【０１５８】
以上説明したように、底蓋２２が自重で開くため、底蓋２２を開くための駆動源を必要としない。閉動作は回転翼４４の回転動作を利用するので、特別な駆動源を用いずに自動開閉が行える。これにより、部品点数が少なく低コストで構成できる。
【０１５９】
また、底蓋２２の可動スペースが処理容器４４内であるため、攪拌乾燥処理と底蓋２２の開閉スペースを共有でき、商品を小型化できる。このため、シンク下という限られたスペース内をより広く活用できる。
【０１６０】
また、蓋体１１と底蓋２２のロックおよびその解除を１つの駆動源で行うため、部品数が減り低コストで構成できる。
【０１６１】
更に、蓋体１１と底蓋２２が同時に開くタイミングはなく、処理容器４２からの乾燥ゴミ粉等の舞い上がりや飛散を防ぐ。
【０１６２】
以上の説明では、生ゴミの投入動作中は排気ファン７を停止させているが、生ゴミの投入動作中に排気ファン７を駆動して、臭気を排気しても良い。例えば、上述したステップＳＡ２で蓋体１１のロックを検出すると、システムコントローラ９２は、排気ファン７を駆動するファンモータを回転させると共に、逆止弁ユニット７６の逆止弁を開ける。
【０１６３】
排気ファン７が回転駆動されると、送風ファン６９の吸気口６９ａを介して処理容器４２の外部の空気が吸い込まれることで、カバー４１内部と外部との圧力の関係で逆止弁７２が開く。これにより、カバー４１の外部の空気を吸気しながら、処理容器４２内の空気が排気される。
【０１６４】
上述した底蓋２２を開く動作で、生ゴミが処理容器４２に投入されるが、生ゴミの投入動作中に排気ファン７が駆動されていることで、生ゴミから発生する臭気は、フィルタユニット７５および逆止弁ユニット７６を介して、ダクト８６により排水トラップ８７ａより下流の排水管８７に排気される。これにより、臭気が処理容器４２にこもり、カバーユニット５８等から漏れることを防ぐ。
【０１６５】
なお、排気ファン７の風量を、例えば強と弱に切り換えられるように構成して、送風ファン６９を停止させた状態で排気ファン７を駆動するときは、排気ファン７の風量を強として、排気風量を増加させることで、排気を促進するようにしても良い。
【０１６６】
＜破砕乾燥動作＞
上述した投入動作で生ゴミ投入装置３から生ゴミ破砕乾燥装置４に投入された含水性処理物である生ゴミは、処理容器４２で攪拌しながら破砕および乾燥させて、破砕乾燥物に変換される。
【０１６７】
処理容器４２での破砕・乾燥動作は、底蓋２２が閉じている必要があるので、上述した投入動作で底蓋２２を閉じる動作を行い、正常に閉じたことが検出されると、システムコントローラ９２は破砕・乾燥動作を開始する。
【０１６８】
すなわち、ＰＴＣヒータ５２をオンとし、処理容器４２を加熱する。また、送風ファン６９を回転させ、回転翼４４の翼部４６のスリット４８から送風を開始する。更に、排気ファン７を回転させると共に、逆止弁ユニット７６を開いて、処理容器４２内の排気を開始する。また、モータ６７の回転を開始し、回転翼４４を矢印ｃ方向に回転させる。
【０１６９】
回転翼４４を矢印ｃ方向に回転させると、処理容器４２内の生ゴミは、スリット４８からの送風を受けながら、翼部４６によりかき上げられる。回転翼４４の翼部４６がカバーユニット５８に備えたカッター６２を通過すると、カッター６２は翼部４６の溝部４７を通過することになるので、翼部４６でかき上げられた生ゴミはカッター６２で破砕される。
【０１７０】
そして、カッター６２は回転翼４４の軸線方向に沿って複数枚設けてあるので、生ゴミを細かく破砕することができる。また、各カッター６２は周方向に対しても位置をずらしてあるので、例えば１つの物体を複数のカッター６２で同時に切断するような事象が発生しにくく、回転翼４４に過大な力が加わることを防ぐ。
【０１７１】
また、回転翼４４の翼部４６の先端にはワイパ５０が取り付けられており、処理容器４２の底部付近では、ワイパ５０が処理容器４２の内面に接触する。これにより、生ゴミの処理容器４２への付着を防いでいる。
【０１７２】
このように、回転翼４４を回転させることで、処理容器４２内で生ゴミは攪拌されながら、スリット４８からの送風で水分を蒸発させ、乾燥させる。またＰＴＣヒータ５２で処理容器４２を加熱することで、水分の蒸発を促進する。これにより、生ゴミは破砕乾燥物である乾燥ゴミ粉に変換される。
【０１７３】
なお、回転翼４４からの送風を温風とするためには、送風ファン６９からの送風経路にヒータを設けると共に、温度管理が必要となって、構造が複雑になるが、加温手段としてＰＴＣヒータ５２を処理容器４２に貼り付けて使用することで、回転翼４４からは常温の送風を行いつつ、処理容器４２内の生ゴミを加熱して、乾燥を促進させることができる。また、乾燥することで微生物の活動を弱め、臭気の発生を抑えることができる。
【０１７４】
更に、排気ファン７が回転駆動されることで、送風ファン６９により回転翼４４から吹き出す送風と、排気ファン７により処理容器４２から吸い込む空気の流れによって、処理容器４２内で排気口７４へ向かう風路が形成される。これにより、処理容器４２内の空気は、排気口７４からフィルタユニット７５、逆止弁ユニット７６を介して排水トラップ８７ａより下流の排水管８７へ排気される。ここで、排気ファン７と送風ファン６９は、風量及び圧力能力が略同等となるように構成されることで、圧力損失を生じること無く、処理容器４２内の空気を排気することができる。
【０１７５】
なお、底蓋２２と生ゴミ投入装置３の大径開口部２１ｃとは、シール部材３０とシール面２１ｄとの協働によってシールされているので、回転翼４４のスリット４８からの送風が開始されても、この送風が大径開口部２１ｃを通過してシンク２側へ通風されてしまうことがない。
【０１７６】
また、処理容器４２の排気口７４は、処理容器４２の上部に配置したので、処理容器４２内の水分が排気口７４へ直接流入することを防ぐ。更に、排気ファン７の上流側にフィルタユニット７５を備えることで、破砕されて乾燥した乾燥ゴミ粉が排気されることを防ぐ。
【０１７７】
上述したように、フィルタユニット７５に外部より操作可能なブラシ７９を備えることで、フィルタユニット７５を取り外すことなく、フィルタ７８の清掃が可能であり、フィルタ７８の目詰まりを防ぐことができる。また、ブラシ７９を備えることに代えて、フィルタ７８を着脱できるようにして、洗浄可能としても良い。
【０１７８】
なお、処理容器４２からの排気は排水トラップの下流に行うので、通常、水が逆流することはない。但し、排水管８７が詰まった場合等は、水が逆流する可能性がある。このため、逆止弁ユニット７６から排水管８７までの経路中に水の流入を検出するセンサを備えて、もし、水が逆流してきた場合は逆止弁ユニット７６を閉じ、排気ファン７及び処理容器４２内への水の逆流を防ぐ。
【０１７９】
さて、本例の生ゴミ処理装置１で、排気ファン７を設けない構成を考えると、回転翼４４のスリット４８での圧力損失や、スリット４８の目詰まり、更には処理容器４２内の生ゴミ量の増加に対応するため、送風ファン６９のファン風量を大きくする必要がある。このため、ファンの大型化や回転数を増加させる必要があり、装置の大型化や騒音の増加に繋がる。
【０１８０】
また、回転翼４４のスリット４８から吹き出す送風によって処理容器４２内の空気を排気口７４から押し出すことで、処理容器４２内の空気を排気しているので、強制的に処理容器４２内の空気が吸気されず、臭気漏れの対策として、カバーユニット５８等の密閉性が求められる。
【０１８１】
これに対して、排気ファン７を設け、排気ファン７と送風ファン６９で風量及び圧力能力が略同等となるように構成することで、回転翼４４のスリット４８での圧力損失が抑えられ、スリット４８での目詰りの発生も抑えられるので、ファン風量を抑えることができる。
【０１８２】
これにより、送風ファン６９及び排気ファン７は、圧損障壁となる回転翼４４のスリット４８の前後で必要とされるファン風量に応じて小型のファンで実現でき、装置の大型化を防ぐことができる。また、ファンの風量を上げるために回転数を上げる必要が無く、騒音を抑えることができる。
【０１８３】
更に、強制的に処理容器４２内の空気が吸気されて排気されるので、臭気が処理容器４２内にこもらず、臭気漏れを抑えることができ、密閉性を低くすることが可能となって、コストの低減を図ることができる。
【０１８４】
＜カバーユニットの開閉動作＞
上述した破砕乾燥動作中は、カバーユニット５８は処理容器４２の排出口５３を閉じている。処理容器４２内で破砕され乾燥された乾燥ゴミ粉は、後述する動作で排出口５３から排出される。そこで、排出動作に先立つカバーユニット５８の開閉動作について図１３等を参照して説明する。
【０１８５】
カバーユニット５８は、ガイドボス５９がガイド溝５５の閉塞ガイド部５５ａに位置する状態では、排出口５３を塞ぐ。このとき、操作レバー６０を操作することで、プレート６０ａがガイドリブ５４の係止穴５７に嵌る。これにより、カバーユニット５８は排出口５３を閉じた状態でロックされる。また、操作レバー６０のプレート６０ａがガイドリブ５４の係止穴５７に嵌ると、排出口開閉検出センサ６１の出力から、システムコントローラ９２はカバーユニット５８が閉じられていることを検出できる。
【０１８６】
操作レバー６０を操作して、プレート６０ａを係止穴５７から退避させると、カバーユニット５８をガイド溝５５に沿って手前に引くことが可能となる。このとき、ガイドボス５９はガイド溝５５において閉塞ガイド部５５ａから昇降ガイド部５５ｂに移動する。これにより、カバーユニット５８は昇降ガイド部５５ｂに沿って上下に昇降可能となる。
【０１８７】
ガイドボス５９が昇降ガイド部５５ｂの上端に到達するまでカバーユニット５８を上昇させると、カバーユニット５８をガイド溝５５に沿って押し込むことで、ガイドボス５９が昇降ガイド部５５ｂから開放ガイド部５５ｃに移動する。これにより、カバーユニット５８は排出口５３の前方を開放し、排出口５３の上方で立設した状態で保持される。
【０１８８】
ここで、カッター６２はカバーユニット５８の裏面に備えられるので、図２７に示すようにカバーユニット５８を開放状態としても、カバーユニット５８の裏面と処理容器４２の間に位置するので、手を触れることはできない。
【０１８９】
図１に示すように、処理容器４２はカバー４１に収納されているため、開放したカバーユニット５８の上方から裏面側に手を入れることはできず、カッター６２に手を触れることが出来ないようになっている。
【０１９０】
また、図２７に示すように、開放したカバーユニット５８の下方と排出口５３の間に多少の隙間は形成されるが、狭い隙間なので、手を入れることはできず、カッター６２に手を触れることができないようになっている。
【０１９１】
カッター６２を交換する場合は、カバーユニット５８ごと交換する。まず、ロックレバー５６を移動させ、着脱ガイド部５５ｄを開放する。そして、カバーユニット５８をガイド溝５５の昇降ガイド部５５ｂに沿って移動させ、ガイドボス５９を着脱ガイド部５５ｄに位置させて、カバーユニット５８を手前に引く。
【０１９２】
これにより、ガイドボス５９がガイド溝５５から外れ、カバーユニット５８を処理容器４２から取り外すことができる。カバーユニット５８を処理容器４２に取り付けるには、取り外しと逆の手順で行えば良い。
【０１９３】
すなわち、ロックレバー５６を移動させて着脱ガイド部５５ｄを開放した状態で、カバーユニット５８のガイドボス５９を着脱ガイド部５５ｄに嵌め、カバーユニット５８を押し込む。これにより、ガイドボス５９はガイド溝５５の昇降ガイド部５５ｂに嵌る。そして、ガイドボス５９が昇降ガイド部５５ｂの下端に到達するまでカバーユニット５８を下降させると、カバーユニット５８を押し込むことで、ガイドボス５９が昇降ガイド部５５ｂから閉塞ガイド部５５ａに移動する。これにより、カバーユニット５８は排出口５３を閉じた状態で保持される。
【０１９４】
また、ロックレバー５６を移動させ、着脱ガイド部５６ｄを閉じることで、カバーユニット５８の開閉昇降時に不用意にカバーユニット５８が処理容器４２から外れることを防ぐ。
【０１９５】
＜排出動作＞
図２８は乾燥ゴミ粉の排出時の処理の流れを示すフローチャートである。図１に示すカバー４１の前面パネル４１ａが開かれたことを、図示しないセンサの出力から検出すると（ステップＢ１）、システムコントローラ９２は、原点位置検出センサ５１ａの出力から回転翼４４の位置を検出する。すなわち、回転翼４４が回転している場合は、原点位置検出センサ５１ａが回転翼４４を検出すると、モータ６７の回転を停止して、回転翼４４を原点位置で停止させる（ステップＢ２）。また、送風ファン６９の回転を停止する。更に、ＰＴＣヒータ５２を停止する。
【０１９６】
なお、排気ファン７は駆動を続行する。送風ファン６９の回転を停止しても、排気ファン７が回転駆動されることで、送風ファン６９の吸気口６９ａを介して処理容器４２の外部の空気が吸い込まれ、カバー４１内部と外部との圧力の関係で逆止弁７２が開いて、カバー４１の外部の空気を吸気しながら、処理容器４２内の空気が排気される（ステップＢ３）。
【０１９７】
なお、前面パネル４１ａの開放時に、上蓋検出センサ１９が蓋体１１を検出していると、上述した投入動作が行われている可能性があり、排出動作を行えないので、ブザーやランプなどアラームを発する。
【０１９８】
ユーザは、図２９（ａ）に示すように、袋取付アーム６３を軸部６３ａを支点に回転させて、装置前面に引き出す。そして袋１０１の開口部の縁部を袋取付アーム６３のヘラの間に挟み、袋１０１が開いた状態とする（ステップＢ４）。
【０１９９】
なお、袋１０１を取り付ける前に、カバーユニット５８を開けられないようにするため、袋取付アーム６３を引き出さないと、カバーユニット５８を開閉できない機構を備えても良い。
【０２００】
ユーザは、袋取付アーム６３を引き出し、袋１０１を取り付けると、カバーユニット５８の操作レバー６０を操作して、プレート６０ａをガイドリブ５４の係止穴５７から外し、上述したようにカバーユニット５８を開ける（ステップＢ５）。上述したように、排出動作中には排気ファン７が回転していることで、処理容器４２内の空気が排気されている。これにより、図２７に示すように、カバーユニット５８が開けられた際にも、処理容器４２内の臭気は排気口７４から排気され、排出口５３側からの漏れは抑えられる。
【０２０１】
ここで、カバーユニット５８の操作レバー６０が操作され、プレート６０ａがガイドリブ５４の係止穴５７から外れたことを、排出口開閉検出センサ６１の出力からシステムコントローラ９２は検出する。
【０２０２】
ユーザは、図２９（ｂ）に示すように、袋１０１を取り付けた袋取付アーム６３をもとの位置に戻して袋１０１の開口で排出口５３を覆い、図示しない操作部の所定の操作ボタンを押す（ステップＢ６）。
【０２０３】
操作部の所定の操作ボタンが押されると、システムコントローラ９２はゴミ排出モードを実行する（ステップＢ７）。ここで、ゴミ排出モードは、操作レバー６０によるロック解除と、操作ボタンの押下の両方を検出した場合に実行される。
【０２０４】
システムコントローラ９２は、ゴミ排出モードでは、モータ６７を駆動して、原点位置にある回転翼４４を図３０に示すようにまず矢印ｃ方向に回転させる。システムコントローラ９２は、回転翼４４の回転量が翼部４６の先端が排出口５３の下端を越えない位置で停止するように、例えば駆動時間を制御することで、回転翼４４の回転量を制御する。なお、この停止位置をゴミ排出位置と称す。
【０２０５】
回転翼４４を原点位置からゴミ排出位置まで回転させると、処理容器４２の底部に溜まった破砕され乾燥された乾燥ゴミ粉が、回転翼４４の翼部４６によりかき上げらえて、排出口５３から排出される。
【０２０６】
図２９（ｂ）に示すように、排出口５３には袋取付アーム６３により袋１０１が取り付けられているので、排出口から排出された乾燥ゴミ粉は、袋１０１に収集される。ここで、回転翼４４は、原点位置からゴミ排出位置まで回転する間は、ワイパ５０が処理容器４２の内壁と接触しながら動くことで、乾燥ゴミ粉の残留を極力防ぐことができる。なお、処理容器４２の内壁とワイパ５０先端との隙間は、乾燥ゴミ粉が下方に落下しない程度でも良い。
【０２０７】
また、排出口５３の下側に排出板６４を備えることで、袋１０１で排出口５３を覆ったときに、排出板６４が袋１０１の内部に入り込み、排出動作時に乾燥ゴミ粉が袋１０１に入らず外部に散乱することを防いでいる。
【０２０８】
システムコントローラ９２は、回転翼４４を原点位置からゴミ排出位置まで回転させると、モータ６７を逆転させ、図３１に示すように、回転翼４４を矢印ｄ方向に所定量回転させる。システムコントローラ９２は、図３２に示すように回転翼４４の回転量が原点位置を越えた所定位置で停止するように、例えば駆動時間を制御することで、回転翼４４の回転量を制御する。なお、この停止位置を戻り位置と称す。
【０２０９】
そして、システムコントローラ９２は、ゴミ排出位置から戻り位置までの往復動作を複数回行った後、回転翼４４を原点位置で停止させ、ゴミ排出動作が終了したことを、ブザーやランプ等でユーザに通知する（ステップＢ８）。
【０２１０】
このように、回転翼４４をゴミ排出位置から戻り位置まで往復動作を行うことで、処理容器４２の底部に溜まった乾燥ゴミ粉を集めて、排出口５３から確実に排出することができる。なお、回転翼４４の往復動作としては、約９０度位の間とする。
【０２１１】
上述したように、回転翼４４のゴミ排出位置を、翼部４６の先端が排出口５３の下端を越えない位置とすることで、回転翼４４の戻り動作時の安全性を確保する。また、ゴミ排出位置では、回転翼４４のスリットの向きが水平以上とならないようにする。
【０２１２】
これは、ゴミ排出モードでは、送風ファン６９による送風を停止しているので、スリット４８からの送風が行われない、このため、スリット４８の角度が水平以上となると、乾燥ゴミ粉等がスリット４８から回転翼４４の内部に入り込む可能性がある。従って、ゴミ排出モードでは、スリット４８が水平以上とならないように、回転翼４４の回転量を制御する。
【０２１３】
ここで、ゴミ排出位置から戻り位置までの回転翼の往復動作で、例えばゴミ排出位置から回転翼４４を矢印ｄ方向に回転を開始してから、所定時間経過しても原点位置検出センサ５１ａが回転翼４４の通過を検出しない場合は、異物等が詰まって回転翼４４が回転できなくなったと判断し、回転翼４４の回転を停止すると共に、ブザーやランプ等でアラームを発する。
【０２１４】
ゴミ排出動作が終了したことを、ブザーやランプ等で通知されると、ユーザは袋取付アーム６３を引き出し（ステップＢ９）、カバーユニット５８で排出口５３を閉じる。そして、カバーユニット５８の操作レバー６０を操作して、プレート６０ａをガイドリブ５４の係止穴５７に嵌める（ステップＢ１０）。
【０２１５】
ここで、カバーユニット５８の操作レバー６０が操作され、プレート６０ａがガイドリブ５４の係止穴５７に嵌ると、排出口開閉検出センサ６１の出力からシステムコントローラ９２はカバーユニット５８のロックを検出する。
【０２１６】
ユーザは、更に袋取付アーム６３から乾燥ゴミ粉の入った袋を外し、廃棄する。そして、袋取付アーム６３を基に戻す。最後に、カバー４１の前面パネル４１ａを閉じる（ステップＢ１１）。
【０２１７】
カバー４１の前面パネル４１ａが閉じたことを、パネル開閉検出センサ９３の出力から検出すると、システムコントローラ９２は、排気ファン７を停止し（ステップＢ１２）、排出口開閉検出センサ６１の出力からカバーユニット５８のロックを検出していれば、上述した生ゴミ投入動作の待機状態となる。なお、カバー４１の前面パネル４１ａが閉じたことを検出したが、カバーユニット５８のロックを検出していない場合は、システムコントローラ９２は、ブザーやランプ等でアラームを発する。
【０２１８】
ここで、以上の排出動作例では、カバーユニット５８を開けてから、操作ボタンを操作する手順としたが、操作ボタンを操作してから、カバーユニット５８を開ける手順でもよい。この場合は、操作ボタンが操作され、排出口開閉検出センサ６１の出力からロックの解除を検出してから、実際にカバーユニット５８が開けられるまでの時間を勘案して、所定のタイムラグの後に、上述したゴミ排出モードによる回転翼４４の回転動作を実行する。
【０２１９】
なお、図示しないが、処理容器４２の下部に形成される空間に、引き出し可能なトレーを備えることで、排出動作時にこぼれた乾燥ゴミ粉のカバー４１内への落下を防ぐことができる。
【０２２０】
さて、図１に示す投入開口部９から誤ってフォーク等の異物が投入された場合、底蓋２２より排出口５３の開口面積の方が大きいので、処理容器４２内の落下した異物であれば、上述した排出動作で排出口５３から排出することができる。
【０２２１】
なお、排気ファン７の風量を、例えば強と弱に切り換えられるように構成して、送風ファン６９を停止させた状態で排気ファン７を駆動するときは、排気ファン７の風量を強として、排気風量を増加させることで、排気を促進するようにしても良い。
【０２２２】
また、送風ファン６９を備えずに、排気ファン７による吸気で回転翼４４のスリット４８から空気を吸い込みながら、回転翼４４の回転で生ゴミの攪拌及び乾燥を行う構成とすることも可能である。この場合は、排気ファン７の風量を大きくするため、排気ファン７を大型なものとすれば良い。
【０２２３】
なお、排気ファン７を大型のものにする場合は、回転翼４４のスリット４８に代えて、逆止弁付きの吸気口を処理容器４２に設ける構成としても良い。
【０２２４】
＜処理容器内のゴミ量検出＞
処理容器４２内のゴミ量が増えてくると、処理能力が低下する。このため、処理容器内のゴミ量を検出して、ゴミ量が多い場合は、上述した排出動作を促す。
【０２２５】
図３３にゴミ量検出の構成および動作を示す。満タン検出センサ８８は、処理容器４２の側部の所定の高さに備えられ、回転翼４４の動作で生ゴミ等によりフィン８９が押し上げられると、フィン８９に備えたマグネット８９ａを検出する。
【０２２６】
図３３（ｂ）に示すように、ゴミ量が多い場合、攪拌・乾燥動作で回転翼４４を矢印ｃ方向に回転させると、フィン８９を生ゴミが通過するまで、満タン検出センサ８８がオンとなるため、満タン検出センサ８８のオン時間が長くなる。
【０２２７】
これにより、満タン検出センサ８８のオン時間が所定時間を超えると、システムコントローラ９２は、処理容器４２内のゴミ量が規定量を超えたと判断する。なお、具体的な一例として、３０分程度の一定時間の間の満タン検出センサ８８のオン時間の総時間を検出し、満タン検出センサ８８のオン時間の総時間が１０分程度になると、ブザーやランプなどでアラームを発して排出動作の実行を促す。また、上述した投入動作を行わないようにする。更に、生ゴミを追加投入可能な状態でアラームを発しても良い。
【０２２８】
＜送風ファンによる風量制御＞
上述したように、処理容器４２内のゴミ量が満タンになると、排出動作の実行を促すが、ゴミ量の増加に伴い、回転翼４４でかき上げるゴミ量が増加すると、送風ファン６９の圧力損失が増加する。また、配管内等に汚れが付着することでも圧力損失が増加する。通常、圧力損失が増加すると、モータの特性等によって送風ファン６９の回転数が増加する。このため、送風ファン６９の回転数を検出し、図３４に示すテーブル等を参照して、一定風量を保持できるように送風ファン６９の回転数を制御する。
【０２２９】
例えば、テーブルで指示された風量と現在の印加電圧から、指示された風量で送風ファン６９を駆動するための回転数を選択した後、選択した回転数と実際の回転数を比較し、回転数が同一となるように印加電圧を制御する。
【０２３０】
＜生ゴミ処理装置の設置＞
図３５は生ゴミ処理装置１の設置工程の一例を示す説明図である。生ゴミ処理装置１は、カバー４１の内部に、上述したように処理容器４２及びその周辺機器が取り付けられて、装置本体を構成する。また、処理容器４２には生ゴミ投入装置３を構成する下部ユニット６が取り付けられる。そして、カバー４１は、上面から下部ユニット６の投入筒部２１と、駆動シャフト３５が露出する形態である。
【０２３１】
生ゴミ処理装置１を設置するには、下部ユニット６の投入筒部２１に接続ダクト２４を嵌め、図３５に矢印Ｐ１で示すように、まず、シンク２の下の所定の位置に、下部ユニット６を含む装置本体を取り付ける。
【０２３２】
次に、上部ユニット５をシンク２の排水口２ａに矢印Ｐ２で示すように上側から嵌める。このとき、図２に示すように、上部ユニット５の投入開口部９が、接続ダクト２４に嵌るようにする。ここで、接続ダクト２４は、屈曲部２４ａでの屈曲量を調整することで、長さの調整が可能であり、投入開口部９を接続ダクト２４に嵌めて上部ダクト５を矢印Ｐ２方向に押すと、シンク２の高さと、シンク下の寸法によって規定される下部ユニット６の高さに応じて屈曲部２４ａが屈曲し、接続ダクト２４の長さが調整される。
【０２３３】
また、下部ユニット６側の駆動シャフト３５の先端が、上部ユニット５のシャフト支持部１５に嵌るようにする。駆動シャフト３５の先端を、上部ユニット５のシャフト支持部１５に嵌めると、第１のロックカム３３がリンク１４のカム当接面１４ｂと接触可能な位置関係となる。
【０２３４】
上述したように、リンク１４のカム当接面１４ｂは、上下方向に幅を持たせてある。同様に、駆動シャフト３５の先端とシャフト支持部１５の接触範囲も、上下方向に幅を持たせてある。
【０２３５】
このため、設置されるシンク２による上下方向の寸法の違いを、接続ダクト２４と、カム当接面１４ｂおよびシャフト支持部１５の寸法で吸収するため、装置本体の高さ方向の微調整が不要である。そして、上部ユニット５に図示しない固定リングをねじ込む方式とで、上部ユニット５はシンク２に固定される。なお、上部ユニット５の取付固定は、既存技術によりシンクに合わせて適宜選択可能である。
【０２３６】
これにより、装置本体の高さ調整に伴う水平出し作業等が不要となり、施工時間の短縮および施工時の組み付け不良等が減少する。また、カバー４１に高さ調整機構を備えないことで、カバー４１の下部と設置面との間の隙間を少なくでき、長期使用による埃等の堆積を防ぐことができる。
【産業上の利用可能性】
【０２３７】
本発明は、建物のキッチン等に設置され、生ゴミ処理の利便性を向上させることができる。
【図面の簡単な説明】
【０２３８】
【図１】本実施の形態の生ゴミ処理装置の断面図である。
【図２】本実施の形態の生ゴミ投入装置の断面図である。
【図３】上部ユニットを示す平面図である。
【図４】蓋体を示す側面図である。
【図５】底蓋の要部構成及び動作を示す断面図である。
【図６】第２のロックカムを示す説明図である。
【図７】回転翼を示す斜視図である。
【図８】回転翼を示す断面図である。
【図９】処理容器の断面図である。
【図１０】回転翼の要部構成を示す説明図である。
【図１１】処理容器を示す斜視図である。
【図１２】処理容器を示す斜視図である。
【図１３】ガイドリブを示す説明図である。
【図１４】操作レバーを示す説明図である。
【図１５】回転翼の駆動機構および送風機構の構成を示す説明図である。
【図１６】カバーの吸気機構を示す斜視図である。
【図１７】処理容器の排気機構の構成を示す説明図である。
【図１８】フィルタユニットの構成を示す説明図である。
【図１９】処理容器の分割機構を示す斜視図である。
【図２０】生ゴミ処理装置の制御ブロック図である。
【図２１】生ゴミ投入時の処理の流れを示すフローチャートである。
【図２２】底蓋のロックおよびロック解除を行うロックカムの動作を示す説明図である。
【図２３】底蓋を開いた状態を示す処理容器の断面図である。
【図２４】底蓋を閉じる途中の状態を示す処理容器の断面図である。
【図２５】底蓋を閉じた状態を示す処理容器の断面図である。
【図２６】蓋体のロック解除を行うロックカムの動作を示す説明図である。
【図２７】カバーユニットを開いた状態を示す処理容器の断面図である。
【図２８】排出時の処理の流れを示すフローチャートである。
【図２９】袋を取り付けた状態を示す処理容器の説明図である。
【図３０】排出モードにおける回転翼の動作を示す処理容器の断面図である。
【図３１】排出モードにおける回転翼の動作を示す処理容器の断面図である。
【図３２】排出モードにおける回転翼の動作を示す処理容器の断面図である。
【図３３】ゴミ量検出の構成および動作を示す処理容器の断面図である。
【図３４】ファン駆動テーブルを示す説明図である。
【図３５】生ゴミ処理装置の設置工程の一例を示す説明図である。
【符号の説明】
【０２３９】
１・・・生ゴミ処理装置、２・・・シンク、３・・・生ゴミ投入装置、４・・・生ゴミ破砕乾燥装置、５・・・上部ユニット、６・・・下部ユニット、７・・・排気ファン、９・・・投入開口部、１１・・・蓋体、２１・・・投入筒部、２２・・・底蓋、４２・・・処理容器、６９・・・送風ファン、９２・・・システムコントローラ
【図１】
2006289286.tif 000003
【図２】
2006289286.tif 000004
【図３】
2006289286.tif 000005
【図４】
2006289286.tif 000006
【図５】
2006289286.tif 000007
【図６】
2006289286.tif 000008
【図７】
2006289286.tif 000009
【図８】
2006289286.tif 000010
【図９】
2006289286.tif 000011
【図１０】
2006289286.tif 000012
【図１１】
2006289286.tif 000013
【図１２】
2006289286.tif 000014
【図１３】
2006289286.tif 000015
【図１４】
2006289286.tif 000016
【図１５】
2006289286.tif 000017
【図１６】
2006289286.tif 000018
【図１７】
2006289286.tif 000019
【図１８】
2006289286.tif 000020
【図１９】
2006289286.tif 000021
【図２０】
2006289286.tif 000022
【図２１】
2006289286.tif 000023
【図２２】
2006289286.tif 000024
【図２３】
2006289286.tif 000025
【図２４】
2006289286.tif 000026
【図２５】
2006289286.tif 000027
【図２６】
2006289286.tif 000028
【図２７】
2006289286.tif 000029
【図２８】
2006289286.tif 000030
【図２９】
2006289286.tif 000031
【図３０】
2006289286.tif 000032
【図３１】
2006289286.tif 000033
【図３２】
2006289286.tif 000034
【図３３】
2006289286.tif 000035
【図３４】
2006289286.tif 000036
【図３５】
2006289286.tif 000037